(57)【要約】【課題】ハードディスク装置のモータ駆動時の発熱によっても、ケース内部の雰囲気温度を５５℃以下に保持することができるディスクケースを提供すること。【解決手段】ハードディスク装置１２を収めるディスクケース１１であって、ケース本体１３と、前記ケース本体１３上部の開口１３ａ周縁に取り付けられる蓋部材１４とからなり、前記蓋部材１４内面側に前記ハードディスク装置１２を吊り下げ状態に固定する一対の固定片１７、１７が前記蓋部材１４内面に連続して設けられていることを特徴とする。【選択図】  図１
2004234777.tif 000002
【特許請求の範囲】
【請求項１】
ハードディスク装置を収めるディスクケースであって、ケース本体と、前記ケース本体上部の開口周縁に取り付けられる蓋部材とからなり、
前記蓋部材内面側に前記ハードディスク装置を吊り下げ状態に固定する一対の固定片が前記蓋部材内面に連続して設けられていることを特徴とするディスクケース。
【請求項２】
前記ケース本体内面および蓋部材内面が吸音材によって被覆されていることを特徴とする請求項１記載のディスクケース。
【請求項３】
前記蓋部材がケース本体上部の開口周縁に配した防振材を介して取り付けられるようにしたことを特徴とする請求項２記載のディスクケース。
【発明の詳細な説明】
【０００１】
【発明の属する技術分野】
本発明は、ハードディスク装置を収めるディスクケースに関する。詳細には振動を低減することができると共に、ハードディスク装置のモータ駆動時の発熱によっても、ケース内部の雰囲気温度を５５℃以下に保持することができるディスクケースに関する。
【０００２】
【従来の技術】
近年、コンピュータ・システムの小型化、高速処理化に伴って、その外部記憶装置として用いられるディスク装置にも小型化とともに、高速処理化と大容量化が要求されている。
【０００３】
例えば、ハードディスクの大きさが決まっている場合、記憶容量の向上はハードディスク上の記録トラックのピッチを狭める高ＴＰＩ化によって行われる。高ＴＰＩ化が進んでトラックが高密度化されると、僅かな振動によってもヘッドが目的のトラックからずれることがあり、ディスク装置の信頼性が低下してしまうことになり、特に高密度化トラックを備えたハードディスクを内蔵するディスク装置では、振動低減が強く望まれている。
【０００４】
このように、ハードディスク装置の小型化、高速処理化、大容量化に伴って、該ハードディスク装置における振動低減は、該ハードディスク装置の信頼性向上のため、克服すべき重要な課題となっているのである。
【０００５】
従来、このような技術課題に対応し得るハードディスク装置の収納ケースとして、図４に示すものが市販されている。この収納ケース１は、ハードディスク装置２を載置するプレート板４と、プレート板４上面に載置したハードディスク装置２を覆うようにプレート板４上面の周縁に取り付けられるカバー５とからなり、前記プレート板４上面に衝撃吸収材３を配すると共に周縁に吸音材６を配し、前記カバー５の内側面に吸音材６を配すると共に天上面に衝撃吸収材３を配して、これら衝撃吸収材３および吸音材６によって振動の減衰化が計られている。
【０００６】
【発明が解決しようとする課題】
ところが、従来の収納ケース１にあっては、ハードディスク装置２がプレート板４上面に載置され、かつハードディスク装置２を載置した状態でこのハードディスク装置２上面をカバー５で覆う構造となっているため、ハードディスク装置２のモータ駆動時に生じる熱でケース１内部の雰囲気温度が上昇しても熱の逃げ道がなく、ケース１内部の雰囲気温度が、ＡＴＸ規格（組み立て用パソコン）で規定される５５℃を上回ってしまうことがあった。
【０００７】
本発明は、このような事情に鑑みなされたものであり、ハードディスク装置のモータ駆動時の発熱によっても、ケース内部の雰囲気温度を５５℃以下に保持することができるディスクケースを提供することを目的とするものである。
【０００８】
【課題を解決するための手段】
上記課題を解決するため、請求項１記載の発明は、ハードディスク装置を収めるディスクケースであって、ケース本体と、前記ケース本体上部の開口周縁に取り付けられる蓋部材とからなり、前記蓋部材内面側に前記ハードディスク装置を吊り下げ状態に固定する一対の固定片が前記蓋部材内面に連続して設けられていることを特徴とするディスクケースをその要旨とした。
【０００９】
尚、本発明のディスクケースにあっては、振動の減衰化を目的として、例えばケース本体および蓋部材のそれぞれの内面に吸音材を配したり、蓋部材が取り付けられるケース本体上部の開口周縁に防振材を配したりすることができる。
【００１０】
【発明の実施の形態】
以下、本発明のディスクケースを図面に示した一実施の形態に従って詳細に説明する。図１および図２に示すように本発明のディスクケース１１は、ハードディスク装置１２を収めるケースである。
【００１１】
ハードディスク装置１２（以下、ＨＤＤという）としては特に限定されず、例えば図３に示すような、記録ディスクとしてのハードディスク２１を搭載するスピンドルモータ（図示しない）と、このハードディスク２１への情報の書き込みまたはハードディスク２１からの情報の読み出しを行うヘッド２２を搭載するキャリッジ２３と、このキャリッジ２３を駆動させるアクチュエータ２４とをハウジング２５のベース内に収納し、ハウジング２５にカバー２６を取り付けたものが使用できる。
【００１２】
図１に示すように本発明のディスクケース１１は、ＨＤＤ１２を収めるケース本体１３と、ケース本体１３に取り付けられる蓋部材１４とからなる。
【００１３】
ケース本体１３は、アルミ板によって構成された箱であり、その内面には吸音材が配されていてケース本体１３の内面側全体が吸音材１５によって覆われている。このケース本体１３上部には開口１３ａが形成されており、その開口１３ａ周縁には防振材１６（厚さ３ｍｍのポロン、株式会社イノアックコーポレーション製）が取り付けられている。
【００１４】
この防振材１６を介して前記蓋部材１４がネジ止めされて取り付けられるようになっている。蓋部材１４は、ケース本体１３と同じくアルミ板からなり、その内面には吸音材１５が配されていて蓋部材１４内面側全体が吸音材１５によって覆われている。この蓋部材１４の内面には一対の固定片１７、１７が設けられ、これら固定片１７、１７間に前記ＨＤＤ１２がネジ止めされて固定されるようになっている。
【００１５】
そして、蓋部材１４内面の固定片１７、１７間に前記ＨＤＤ１２を固定し、この状態で、蓋部材１４をケース本体１３の開口１３ａ周縁に取り付けたとき、ＨＤＤ１２は、ケース本体１３内に吊り下げられた状態となり、ＨＤＤ１２とケース本体１３の底面および側面との間には隙間１８が形成されるようになっている。
【００１６】
本発明のディスクケース１１にあっては、上記の如くケース本体１３にＨＤＤ１２を固定した蓋部材１４を取り付け、ＨＤＤ１２のモータ（図示しない）を駆動させても、ＨＤＤ１２を固定するための一対の固定片１７、１７が蓋部材１４に連続して設けられているので、ケース本体１３内の熱はケース本体１３内部に突出する固定片１７、１７を伝って蓋部材１４へと伝わり、ケース本体１３へと放出されるようになっている。
【００１７】
尚、本発明のディスクケースは、上記例に限定されるものではなく、例えばケース本体１３および蓋部材１４を制振材を用いた制振鋼板によって構成するなど、「特許請求の範囲」に記載した範囲で自由に変更して実施することができる。
【００１８】
【発明の効果】
請求項１記載のディスクケースにあっては、ケース本体にＨＤＤを固定した蓋部材を取り付け、ＨＤＤのモータを駆動させても、ＨＤＤを固定するための一対の固定片が蓋部材に連続して設けられていて、ケース本体内の熱はケース本体内部に突出する固定片を伝って蓋部材へと伝わり、ケース本体へと放出されるようになっているので、ケース内部の雰囲気温度を５５℃以下に保持することができる。
【００１９】
請求項２または３記載のディスクケースにあっては、、ケース本体および蓋部材のそれぞれの内面に吸音材を配したり、蓋部材が取り付けられるケース本体上部の開口周縁に防振材を配したりすることで、上記請求項１記載の発明の効果に加えて、振動を低減することができるという効果を奏する。
【図面の簡単な説明】
【図１】本発明のディスクケースを示す斜視図。
【図２】同じく拡大断面図。
【図３】ディスクケース内に収納されるＨＤＤを示す組み立て斜視図。
【図４】従来のディスクケースを示す斜視図。
【符号の説明】
１２・・・ＨＤＤ
１３・・・ケース本体
１４・・・蓋部材
１７・・・固定片
【図１】
2004234777.tif 000003
【図２】
2004234777.tif 000004
【図３】
2004234777.tif 000005
【図４】
2004234777.tif 000006